(57)【要約】照準器は、光の通路を画成する細長いハウジング（１０、１１）と、該光の通路の一方の端部に設けられ且つ部分反射表面を有するレンズ（１２）と、光源（１４）と、光源にエネルギを供給するためのバッテリとを具備する。エネルギが供給された光源は、反射表面に向かって光を放射する。光源の直接的なイメージングによって、他方の端部から光の通路を覗いたときに、ターゲットに重ねられる反射表面上に光のスポットを生成する。本発明によれば、光源は、共振器型発光ダイオードを具備する。
2004536269.tif 000002
【特許請求の範囲】
【請求項１】
光の通路を画成する細長いハウジング（１０、１１）と、
上記光の通路の一方の端部に配置されると共に部分反射表面（１３）を有するレンズと、
光源の直接的なイメージングによって、他方の端部から光の通路を覗いたときにターゲットに重ねられる表面上に光のスポットが生成されるように、上記反射表面へ向かって発光する光源と、
上記光源にエネルギを供給するバッテリとを具備する照準器において、
上記光源（１４）は、共振器型発光ダイオードを具備することを特徴とする照準器。
【請求項２】
上記共振器型発光ダイオードの発光表面は、該発光表面上にまたは近接して配置された、開口を有する非光透過性のマスクによって覆われる請求項１に記載の照準器。
【請求項３】
上記マスクは、上記発光表面に蒸着または付着せしめられる請求項２に記載の照準器。
【発明の詳細な説明】
【０００１】
発明の背景
発明の分野
本発明は、例えば猟銃のような猟用武器に用いられる照準器に関する。
【０００２】
より詳細には、本発明は、光の通路を画成する細長いハウジングと、該光の通路の一方の端部に配置されると共に部分反射面を有するレンズと、光源の直接的なイメージングによって、他方の端部から光の通路を見たときにターゲットに重ねられる表面上に光のスポットが生成されるように、上記反射面へ向かって発光する光源と、光源にエネルギを供給するバッテリとを具備する種類の照準器に関する。
【０００３】
関連技術の説明
このような照準器における問題は、バッテリの寿命が短い（光量最大での連続使用で約四時間）ことである。その結果、ユーザは規則的な短い間隔毎にバッテリを交換しなければならない。このことは、特にユーザが遠くにいてバッテリを容易に入手できない場合に、実用上の様々な問題を引き起こす。
【０００４】
光源が発光ダイオード（ＬＥＤ）を具備する上述したような武器用照準器は、約２０年間利用されてきた。このような照準器では、光のスポットの光量はＬＥＤの駆動電流を変えることによって制御される。
【０００５】
通常のＬＥＤは、サンドイッチ構造のＰ型半導体層とＮ型半導体層とを備えたチップを具備する。順方向電流が供給されると、チップ全体が発光し、放射された光は全ての方向に広がる。これら半導体チップの大きさは、約３００μｍ×３００μｍであり、その厚さは約１００μｍである。このことは、光源が３００μｍ×３００μｍの発光表面を有することを意味する。上述したような照準器に適切な光のスポットを得るために、所望の発光表面は直径が約６０〜８０μｍの円形のスポットであるべきであり、このことは、ＬＥＤが細くて明瞭な光のビームを提供しなければならず、且つ発光表面を覆う必要があることを意味する。このため、通常、国際公開公報ＷＯ９９／１９６５５に記載されているように細くて完全な円形開口を備えたマスクが用いられる。このタイプの光源の効率は十分ではない。ＬＥＤの発光表面うちの使用部分は、発光表面全体の約１／２０のみであり、残りの表面から放射された光エネルギは浪費される。しかしながら、ＬＥＤを使用しつつ、従来の光源によって提供されたのと同じ光量で、光源によって必要とされる電流を約２０分の１程度に小さくし、よって対応する期間だけバッテリの寿命を延ばすことができる。
【０００６】
スウェーデン特許第３７８４５０号（ＳＥ−Ｂ−３７８４５０）およびスウェーデン特許第４４９２６２号（ＳＥ−Ｂ−４４９２６２）は、エネルギ消費を節約するために、ＬＥＤがパルス状に発光するようにされている。このような構成にすることにより照準器のバッテリの寿命は延びるが、このような照準器でも光量最大での連続使用では約四時間と、バッテリの寿命は短い。
【０００７】
ＰＣＴ／ＳＥ９９／２４８２によれば、上述したような照準器のバッテリの寿命を何倍にも延ばすために、光源としてレーザダイオードが設けられている。レーザダイオードを使用することにより、バッテリの寿命が連続使用で約５０００時間以上に延びる。
【０００８】
発明の概要
本発明によれば、上述したような照準器のバッテリの寿命を何倍にも延ばすために、照準器の光源として共振器型発光ダイオード（ｒｅｓｏｎａｎｔ ｃａｖｉｔｙ ｌｉｇｈｔ ｅｍｉｔｔｉｎｇ ｄｉｏｄｅ ：ＲＣＬＥＤ）が提供される。
【０００９】
ＲＣＬＥＤは、小さい特定のＰ型半導体領域を上述した同一のサイズのＮ型チップ内にドープすることによって形成される。ドープされた領域はキャビティを形成し、光はこのキャビティからのみ発光される。このことは光エネルギが節約されることを意味する。キャビティ内に放射された光を反射させるために特定の反射率をもった表面をドープされたキャビティ周りに生成することにより、光のほとんどは一つの方向に放射され、さらに光エネルギが節約される。
【００１０】
ＲＣＬＥＤは、プラスチック光ファイバを介した光データ通信用に設計され、もっぱらこの目的のためのみに用いられている。上述したような照準器にＲＣＬＥＤを用いることにより、ダイオードへの電流は驚くべきことに国際公開公報ＷＯ９９／１９６６５号に記載の装置でのダイオードへの電流の３５分の１と小さく、このことはこの照準器が電源に関する限り完全にメンテナンスフリーであることを意味している。
【００１１】
従来のエレクトロニクスは、ＲＣＬＥＤの光量を制御するために用いられてもよい。
【００１２】
本発明の照準器の好適な詳細は特許請求の範囲に定義される。
【００１３】
発明をより詳細に説明するために、添付の図面を参照して実施形態について説明する。
【００１４】
発明の詳細な説明
図示した武器用照準器は、外側チューブ１０によって形成された光トンネルを具備し、外側チューブ１０は当該照準器が用いられる武器の銃身に取付けられる。さらに、武器用照準器は内側チューブ１１を具備し、この内側チューブは、一方の端部において外側チューブ１０内に取付けられると共に、他方の端部において外側チューブの長手軸線に対して内側チューブの長手軸線を調整することができる調整手段によって固定される。このような調整は照準器を照準器が使用される武器に合わせるために必要である。上述した内側チューブ１１の一方の端部に、レンズ間に層１３を有するダブルレンズ１２が設けられる。この層１３は赤い光を反射する。内側チューブ内には、共振器型発光ダイオード（ＲＣＬＥＤ）を具備する光源１４、例えば、ミテルセミコンダクタ社（Ｍｉｔｅｌ Ｓｅｍｉｃｏｎｄｕｃｔｏｒｓ）の１Ａ４８７１チップＲＣＬＥＤが設けられる。ＲＣＬＥＤは、ＲＣＬＥＤの発光表面上にまたはそれに近接して開口部を備えた非光透過性マスクを有し、このマスクは発光表面上に蒸着またはスパッタリング等により付着せしめられるのが好ましい。これにより、光のビームが目標点として使用される赤いスポットを形成する場合に、分散を最小にして層１３上に赤い光のビームを投射することができる。光のビームは、光トンネルの右端部を向いた側面に非反射層を有するフェイスグランドガラスプレート１５を介して、層１３によって反射せしめられる。光路は、一点鎖線１６によって示されている。ＲＣＬＥＤは、バッテリ（図示せず）によって電気駆動回路を介してエネルギが供給される。バッテリは、外側チューブ１０と一体的な閉じられたハウジング内に取付けられ、導体によってＲＣＬＥＤ用の駆動回路に電気的に接続される。本発明の照準器に使用するのに適したバッテリは、１６０ｍＡｈの容量を有するリチウムセルＤＬ１／３Ｎである。
【図面の簡単な説明】
【図１】
本発明の照準器の軸線方向の断面図である。
【国際公開パンフレット】
2004536269.tif 000003
2004536269.tif 000004
2004536269.tif 000005
2004536269.tif 000006
2004536269.tif 000007
2004536269.tif 000008
2004536269.tif 000009
【国際調査報告】
2004536269.tif 000010
2004536269.tif 000011